(57)【要約】【課題】監視用デジタルレコーダーの操作に習熟していないユーザであっても、監視用デジタルレコーダーに蓄積されている映像から、指定した範囲（日時、チャンネル等）の映像を容易に習得できる手段を備えた監視用デジタルレコーダーを得ること。【解決手段】本発明におけるデジタルレコーダーは、映像を蓄積する記憶手段を備えたデジタルレコーダーであって、リムーバルメディアと信号の送受信を行うインターフェース１０９と、リムーバルメディアに格納された映像範囲を指示するためのファイルをインターフェース１０９を介して読み出し、読み出したファイルの内容に基づいて記憶手段に蓄積されている映像から所望の映像を検索し、所望の映像をリムーバルメディアへ書き込む処理を実行する制御手段１５０とを備える。【選択図】図１
2008288752.tif 000002
【特許請求の範囲】
【請求項１】
映像を蓄積する記憶手段を備えたデジタルレコーダーにおいて、
リムーバルメディアと信号の送受信を行うインターフェースと、
前記リムーバルメディアに格納された映像範囲を指示するためのファイルを前記インターフェースを介して読み出し、前記読み出したファイルの内容に基づいて前記記憶手段に蓄積されている映像から所望の映像を検索し、前記所望の映像を前記リムーバルメディアへ書き込む処理を実行する制御手段と、を備えるデジタルレコーダー。
【請求項２】
外部からの入力により、前記制御手段へ動作開始を指示する動作開始手段をさらに備える請求項１記載のデジタルレコーダー。
【請求項３】
前記リムーバルメディアが前記インターフェースに接続されたことを自動認識し、接続されたことを認識したら前記制御手段へ動作開始を指示する自動認識手段をさらに備える請求項１記載のデジタルレコーダー。
【請求項４】
前記リムーバルメディアは、USBフラッシュメモリである請求項１から３のいずれかに記載のデジタルレコーダー。
【発明の詳細な説明】
【技術分野】
【０００１】
本発明は、簡易映像コピー機能を備えた監視用デジタルレコーダーに関するものである。
【背景技術】
【０００２】
従来から、ビルや店舗をはじめとした建物の屋内、および屋外において不審物（不審人物）や侵入者等を監視する目的で、監視用デジタルレコーダーが使用されている。監視用デジタルレコーダーは、様々な機種が開発されており、多機能を備えた機種の要望が強いため、機能がより高度、複雑化する傾向にある。例えば、動き検知機能、アラーム機能、マルチチャンネル入力機能、蓄積した映像データのDVDメディアへの保存機能、映像データの圧縮、コピー機能などを搭載しており、その他にも多くの機能が搭載されている機種が存在する。
【０００３】
監視用デジタルレコーダーに求められる機能の１つは、監視用デジタルレコーダーに蓄積されている映像から所望の映像を取り出すことである。例えば、ビルや店舗等において、不審物等を監視する目的で利用中に、何らかの事件が発生した場合、監視用デジタルレコーダーに蓄積している映像から、事件が発生した時点の映像が必要になることが少なくない。このとき、下記特許文献１で示すような監視用デジタルレコーダーにおいては、ユーザの操作により、事件が発生した時点の映像を検索し、メディア等に保存することができる。
【０００４】
【特許文献１】特開２００５−２０２４６０号公報
【発明の開示】
【発明が解決しようとする課題】
【０００５】
しかしながら、従来の監視用デジタルレコーダーは非常に多機能であるため、操作するユーザは、複雑な操作手順を習得しなければならないという問題があった。基本的な操作を習得するのでさえ、一週間程度のトレーニング期間が必要になる場合が多い。また、近年では、ネットワークや映像処理などをはじめとしたデジタル技術の進歩が非常に早く、これらの先端技術が適用されている監視用デジタルレコーダーの場合は、完全に操作に習熟しようとすれば、これらの分野に関する専門知識なども習得する必要がある。
【０００６】
そこで本発明はかかる問題を解決するためになされたものであり、監視用デジタルレコーダーの操作に習熟していないユーザであっても、監視用デジタルレコーダーに蓄積されている映像から、指定した範囲（日時、チャンネル等）の映像を容易に習得できる手段を備えた、監視用デジタルレコーダーを得ることを目的としている。
【課題を解決するための手段】
【０００７】
本発明におけるデジタルレコーダーは、映像を蓄積する記憶手段を備えたデジタルレコーダーであって、リムーバルメディアと信号の送受信を行うインターフェースと、前記リムーバルメディアに格納された映像範囲を指示するためのファイルを前記インターフェースを介して読み出し、前記読み出したファイルの内容に基づいて前記記憶手段に蓄積されている映像から所望の映像を検索し、前記所望の映像を前記リムーバルメディアへ書き込む処理を実行する制御手段とを備える。
【発明の効果】
【０００８】
請求項１に記載のように、取得したい映像の日時・チャンネル等を指定したファイルをリムーバルメディアから読み出し、このファイルに基づいて監視用デジタルレコーダーに蓄積されている映像から所望の映像を検索することで、監視用デジタルレコーダーの操作に習熟していないユーザであっても、容易に所望の映像データを取得することができる。
【発明を実施するための最良の形態】
【０００９】
［実施の形態１］
図１は、本発明の実施の形態１における監視用デジタルレコーダー１００の構成を示したブロック図である。監視用デジタルレコーダー１００は、映像を蓄積する記憶手段を備えており、映像の記憶、コピー機能を備えたブロックは、周辺ICの制御やその他のソフトウェア機能を実行するCPU１５０（制御手段）、ソフトウェアを実行するワークエリア領域であるRAM１５２、不揮発性の記憶領域として、搭載しているソフトウェアのマイクロコードや、監視用デジタルレコーダー１００本体の電源を落とした場合でも保存しておく必要があるデータ等のために使用されるフラッシュメモリ１５１、映像データ蓄積用にDVDドライブ１０５とHDD１０４（記憶手段）を備えている。
【００１０】
また、その他の構成は、接続した監視カメラ１０から取得したアナログ信号をデジタルデータに変換するA/D変換器１０１、A/D変換器１０１から出力されたデジタルデータを圧縮データに変換するための圧縮手段１０２、さらに遠隔地からネットワークを利用してデジタルレコーダーを操作するためのLAN端子１０６、RS２３２Cコマンドを使用してデジタルレコーダーを操作するためのRS２３２C端子１０７、リムーバルメディアと信号の送受信を行うなど、データ受け渡し等の拡張機能のためのUSB端子１０９、外部からの入力により、CPU１５０へ映像コピー機能の動作開始を指示するコピー開始ボタン１１０（動作開始手段）を備えている。
【００１１】
また、本実施の形態では、ユーザがパーソナルコンピュータ等で作成した映像範囲を指示するためのファイルを格納するリムーバルメディアとしてUSBフラッシュメモリ１０８を使用する。なお、このUSBフラッシュメモリ１０８とは、USBインターフェイスを備えた書き込み、読み出し可能なフラッシュメモリのことを指す。
【００１２】
本実施の形態におけるCPU１５０は、リムーバルメディア（USBフラッシュメモリ１０８）に格納された映像範囲を指示するためのファイルをインターフェース（USB端子１０９）を介して読み出し、この読み出した結果に基づいて記憶手段（HDD１０４）から所望の映像を検索し、所望の映像をリムーバルメディアへ書き込む処理を実行する。
【００１３】
本実施の形態では、監視用デジタルレコーダー１００には、４個の監視カメラ１０a〜１０dが接続されており、それぞれの監視カメラ１０a〜１０dに対して、画質、記録秒間フレームレート（１秒間に記録する画像の枚数）パラメータ等の設定を行うことができる機能を備えている。以下に監視カメラ１０a〜１０dが記録した映像を監視用デジタルレコーダー１００の記憶部に蓄積する動作について説明する。
【００１４】
監視カメラ１０a〜１０dで映像の記録が開始されると、監視用デジタルレコーダー１００は、設定された記録秒間フレームレートでアナログ映像信号を取り込んだ後に、A/D変換器１０１によりアナログ映像をデジタル映像に変換する。次に、設定された画質パラメータから算出された圧縮率に応じて圧縮手段１０２によりデジタル映像を圧縮し、それらの映像をHDD１０４に蓄積する。このHDD１０４に蓄積された映像は、任意の時間に閲覧、再生することが可能である。また、DVDドライブ１０５を搭載しており、圧縮された映像をDVDメディアに直接記録、あるいはHDD１０４に蓄積された圧縮映像をDVDメディアにコピーする機能も有している。
【００１５】
次に、このHDD１０４に蓄積された映像のうち所望の映像をUSBフラッシュメモリ１０８にコピーする動作について説明する。本実施の形態は、USBフラッシュメモリ１０８に保存されている映像範囲を指示するためのファイルをCPU１５０が読み込み、記載される内容を解析し、その解析結果に基づいてHDD１０４に蓄積されている映像をUSBフラッシュメモリ１０８に書き出すことを特徴としている。
【００１６】
図２は、本実施の形態で使用する映像コピー指定ファイル２００を示した図である。映像コピー指定ファイル２００は、識別コード２０１、コピーするチャンネル２０２、開始日時２０３、終了日時２０４、という４個のフィールドから構成される。また、映像コピー範囲指定ファイル２００のファイル名は、COPY_RANGEと定義する。
【００１７】
識別コード２０１は、読み込んだファイルが映像コピー範囲指定ファイル２００であるか否かを判定するために記載するフィールドである。本実施の形態では、識別コード２０１は、COPYという文字列と定義する。次に、コピーするチャンネル２０２は、何番目のカメラから入力された映像であるのかを記載するフィールドであり、図１に示したカメラの構成の場合、１から４までの数字の中のいずれか１つを指定して記載する。開始日時２０３と終了日時２０４のフィールドは、それぞれコピー範囲の映像の開始日時２０３と終了日時２０４を記載するフィールドである。
【００１８】
図３は、本実施の形態における監視用デジタルレコーダー１００内のCPU１５０が処理する解析手順を示した図であり、監視カメラ１０a〜１０dが記録した映像をUSBフラッシュメモリ１０８にコピーするまでの解析手順である。以下にCPU１５０の処理について説明する。
【００１９】
まず、CPU１５０は、監視用デジタルレコーダー１００に搭載されているコピー開始ボタン１１０が押されるまで待機する（S１０１）。コピー開始ボタン１１０が押下されると、USBフラッシュメモリ１０８の中にCOPY_RANGEファイルが格納されているか否かを解析する（S１０２）。
【００２０】
次に、COPY_RANGEが存在している場合、COPY_RANGEを読み込み（S１０３）、そのファイルが映像コピー範囲指定ファイル２００であるか否かを識別するための識別コード２０１がCOPYであるか否かを解析する（S１０４）。COPY_RANGEが映像コピー範囲指定ファイル２００であると判断した場合は、CPU１５０は、COPY_RANGE内に記載されているコピーするチャンネル２０２、開始日時２０３、終了日時２０４のフィールドを順次読み込み、読み込んだ値をメモリ内の読み出し、書き込み可能なメモリ領域であるN，K，Sにそれぞれ保存する（S１０５〜S１０７）。
【００２１】
次に、N，K，Sに読み込んだコピーするチャンネル２０２、開始日時２０３、終了日時２０４の情報データをもとに、HDD１０４に蓄積されている映像からコピー範囲の映像を検索し、RAM１５２にコピーする（S１０８）。次に、RAM１５２上の映像データをUSBフラッシュメモリ１０８にコピーする（S１０９）。
【００２２】
次に、コピーするチャンネル２０２フィールドがまだCOPY_RANGE中に存在する場合は、前述の処理を繰り返し（S１１０）、COPY_RANGE内に読み込むフィールドが存在しなくなった時点で処理を終了する。以上が本実施の形態におけるCPU１５０の処理手順である。
【００２３】
以上のように、監視用デジタルレコーダー１００の操作に習熟していないユーザであっても、監視用デジタルレコーダー１００から取得したい映像の日時・チャンネル等を記載したファイルを作成することで、容易に所望の映像データを取得することが可能となる。
【００２４】
図４は、店舗（銀行、スーパーマーケット等）、警備会社、警備センターという構成で、本実施の形態における監視用デジタルレコーダー１００が運用されている例を示した図である。図４の例では、店舗から依頼された警備会社が監視用デジタルレコーダー１００の運用を行っており、監視用デジタルレコーダー１００本体とカメラは店舗内に設置されているものとする。また、警備センターは、店舗に従属する組織であり、スーパーマーケットなら本店、銀行などの場合は本社が該当するものとする。
【００２５】
このような運用形態をとっている状況で、例えば店舗内で何らかの事件（万引き、窃盗など）が発生した場合、店舗側は、事件発生直後に警備センターに連絡することで、警備センター内の担当者が映像コピー範囲指定ファイル２００を作成し、警備会社に渡す。それを受けて、警備会社の担当者は、USBフラッシュメモリ１０８を監視用デジタルレコーダー１００本体に接続し、コピー機能の動作開始を指示するコピー開始ボタン１１０を押し下ろせばよい。
【００２６】
このように、監視用デジタルレコーダー１００の操作に習熟していない場合でも、容易に指示された映像を習得することができ、事件が発生した時刻の前後の映像を迅速に警察に届けることが可能となる。
【００２７】
［実施の形態２］
図５は、本実施の形態で使用する映像コピー指定ファイル２００を示した図である。実施の形態１と異なる点は、図１に示したカメラの構成の場合、コピーするチャンネル２０２には、１から４までの数字の中の任意の組み合わせを記載できる点である。すなわち、本実施の形態の特徴は、監視カメラ１０a〜１０dが記録した映像のうち、同時刻に記録された複数の監視カメラの映像をUSBフラッシュメモリ１０８にコピーすることである。その他の構成は実施の形態１と同様である。
【００２８】
図６は、本実施の形態における監視用デジタルレコーダー１００内のCPU１５０が処理する解析手順を示した図であり、監視カメラ１０a〜１０dが記録した映像をUSBフラッシュメモリ１０８にコピーするまでの解析手順である。実施の形態１と異なる点は、コピーするチャンネル２０２フィールドがまだCOPY_RANGE中に存在するかどうかを解析する処理がない点である（S１１０、図３参照）。すなわち、RAM１５２上の映像データをUSBフラッシュメモリ１０８にコピーした後（S１０９）、処理を終了する。その他の構成は実施の形態１と同様である。
【００２９】
以上のように、実施の形態１と同様に、監視用デジタルレコーダー１００の操作に習熟していないユーザであっても、監視用デジタルレコーダー１００から取得したい映像の日時・チャンネル等を記載したファイルを作成することで、容易に所望の映像データを取得することが可能となる。
【００３０】
［実施の形態３］
本実施の形態は、実施の形態１で映像コピー範囲指定ファイル２００を格納する手段として使用したUSBフラッシュメモリ１０８の代わりに、MO、CD-R、CD-RW、DVD-R、DVD-RW、DVD-RAM等の読み出し、書き込み可能なリムーバルメディアを使用する。その他の構成は実施の形態１と同様である。
【００３１】
以上のように、本実施の形態によれば、映像コピー範囲指定ファイル２００の格納場所をUSBフラッシュメモリ１０８だけでなく様々なメディアを利用できるため、汎用性が高くなる。
【００３２】
［実施の形態４］
本実施の形態の特徴は、実施の形態１で利用したコピー開始ボタン１１０（図１参照）を使用せずに、USB端子１０９にUSBフラッシュメモリ１０８が接続されたことを監視用デジタルレコーダー１００が自動認識し、映像コピー範囲指定ファイル２００を読み込む機能を備えたものである。
【００３３】
図７は、本実施の形態における監視用デジタルレコーダー１００内のCPU１５０が処理する解析手順を示した図であり、監視カメラ１０a〜１０dが記録した映像をUSBフラッシュメモリ１０８にコピーするまでの解析手順である。実施の形態１と異なる点は、CPU１５０は、監視用デジタルレコーダー１００に搭載されているコピー開始ボタン１１０が押されるまで待機する（S１０１、図３参照）代わりに、USB端子１０９にUSBフラッシュメモリ１０８が接続されるまで待機する（S２０１）点である。その他の構成は実施の形態１と同様のため説明を省略する。
【００３４】
以上のように、本実施の形態によれば、監視用デジタルレコーダー１００がUSBフラッシュメモリ１０８中の映像コピー範囲指定ファイル２００を自動認識して映像コピーを開始するため、USBフラッシュメモリ１０８を監視用デジタルレコーダー１００に接続するだけでよく、ほかに特別な操作は必要とすることなく、所望の映像データを取得することが可能である。
【００３５】
［実施の形態５］
本実施の形態の特徴は、監視用デジタルレコーダー１００として監視用ネットワークレコーダー３００を適用した点であり、監視カメラにネットワークカメラ３０a〜３０dを利用する。
【００３６】
図８は、本発明の実施の形態５における監視用ネットワークレコーダー３００の構成を示したブロック図である。４台のネットワークカメラ３０a〜３０dはHUB４００に接続されており、HUB４００を介してネットワークに接続されている。HUB４００が接続されているネットワークには、監視用ネットワークレコーダー３００が接続されている。監視用ネットワークレコーダー３００は、監視カメラ等が遠隔地に設置されている場合でも、ネットワークに接続されているネットワークカメラ３０a〜３０dからLAN端子３０９を通して映像を取得し、HDD３０２に蓄積しておく機能を備えている。
【００３７】
監視用ネットワークレコーダー３００は、CPU３０６、RAM３０３、フラッシュメモリ３０４、HDD３０２を備えており、実施の形態１における監視用デジタルレコーダー１００の映像の記憶、コピー機能を備えたブロックと同様である。
【００３８】
すなわち、USB端子３０７にUSBフラッシュメモリ１０８が接続され、監視用ネットワークレコーダー３００前面に搭載されているコピー開始ボタン３０８が押下されると、ユーザがパーソナルコンピュータ等で作成し、USBフラッシュメモリ１０８に保存した映像コピー範囲指定ファイル２００を読み込み、記載されている内容を解析し、その解析結果に基づいてHDD３０２に蓄積されている映像をUSBフラッシュメモリ１０８に書き出す動作を行う。処理手順に関しては、図２で示した実施の形態１と同様のため説明を省略する。
【００３９】
以上のように、監視カメラ等が遠隔地に設置されている場合でも、ネットワークを介して映像データの送受信を行うことで、実施の形態１と同様に、監視用デジタルレコーダー１００の操作に習熟していないユーザであっても、監視用デジタルレコーダー１００から取得したい映像の日時・チャンネル等を記載したファイルを作成することで、容易に所望の映像データを取得することが可能となる。
【００４０】
また、本発明では、簡単のために４系統の映像入力端子を搭載した監視用デジタルレコーダー１００，および監視用ネットワークレコーダー３００を例にあげて説明したが、本発明は、映像入力系統の数やこれまで述べた監視用デジタルレコーダー１００の細かい仕様に限定されるものではない。
【００４１】
また、本発明では、映像コピー範囲指定ファイル２００のファイル形式は、ASCIIデータ形式を例として説明しているが、それ以外のバイナリ形式を用いてもよい。また、USBフラッシュメモリ１０８を用いて説明したが、書き込み読み出し可能なリムーバルメディアであれば、特に限定しない。
【産業上の利用可能性】
【００４２】
本発明は、簡易映像コピー機能を備えた監視用デジタルレコーダー１００に関するものである。本発明によれば、監視用デジタルレコーダー１００、および監視用ネットワークレコーダーを利用した監視業務を効率的に行うことが可能である。
【００４３】
例えば、監視用デジタルレコーダー１００が全国展開しているスーパーマーケット等に設置されている場合、万引きや強盗等を記録した映像を容易に取得し、全国の店舗でそれらの情報を共有することで、されなる被害を防止できる可能性がある。
【００４４】
また、監視用デジタルレコーダー１００を設置している店舗等で重大な事件が起きた場合、警察等に事件が起きた時点の映像の提出を求められることが少なくない。このとき、監視用デジタルレコーダー１００に習熟していないユーザであっても、事件が発生した時点の映像を即座に入手し、警察等に提出することができる。このため、警察が重大事件を起こした犯人等を検挙するための手助けとなり、産業上はもちろん社会的にも貢献度が高いと考えられる。
【図面の簡単な説明】
【００４５】
【図１】本実施の形態１における監視用デジタルレコーダーの構成を示したブロック図である。
【図２】本実施の形態１における映像コピー指定ファイルを示した図である。
【図３】本実施の形態１における監視カメラが記録した映像をUSBフラッシュメモリにコピーするまでのCPUが処理する解析手順を示した図である。
【図４】本実施の形態１における利用例を示した図である。
【図５】本実施の形態２における映像コピー指定ファイルを示した図である。
【図６】本実施の形態２における監視カメラが記録した映像をUSBフラッシュメモリにコピーするまでのCPUが処理する解析手順を示した図である。
【図７】本実施の形態４における監視カメラが記録した映像をUSBフラッシュメモリにコピーするまでのCPUが処理する解析手順を示した図である。
【図８】本実施の形態５における監視用デジタルレコーダーの構成を示したブロック図である。
【符号の説明】
【００４６】
１００  監視用デジタルレコーダー、１０１a〜１０１d  A/D変換器、１０２a〜１０２d  圧縮手段、１０４，３０２  HDD、１０５  DVDドライブ、１０６，３０９  LAN端子、１０７  RS２３２C端子、１０８  USBフラッシュメモリ、１０９，３０７  USB端子、１１０，３０８  コピー開始ボタン、１５０，３０６  CPU、１５１，３０４  フラッシュメモリ、１５２，３０３  RAM、１０a〜１０d  監視カメラ、２００  映像コピー範囲指定ファイル、２０１  識別コード、２０２  コピーするチャンネル、２０３  開始日時、２０４  終了日時、３００  監視用ネットワークレコーダー、４００  HUB、３０a〜３０d  ネットワークカメラ。
【図１】
2008288752.tif 000003
【図２】
2008288752.tif 000004
【図３】
2008288752.tif 000005
【図４】
2008288752.tif 000006
【図５】
2008288752.tif 000007
【図６】
2008288752.tif 000008
【図７】
2008288752.tif 000009
【図８】
2008288752.tif 000010